(57)【要約】【課題】街路灯の管理データと地図データとをリンクさせて目的の街路灯の設置場所や型式等を保守作業に必要な情報を容易に検索でき、また、街路灯の損壊情報を、通報を待つまでもなくリアルタイムで入手することができ、この種の街路灯管理を飛躍的に簡略化し省力化することができる街路灯管理システムを提供する。【解決手段】街路灯ＩＤ等の情報を入力するだけで目的の街路灯の設置位置を地図上に点滅させ、或は色彩を異ならしめることでクライアントコンピュータに画像表示し、かつ、同一の画面上或は異なる画面に当該街路灯の管理データを表示する。【選択図】　　　図１
2004119030.tif 000002
【特許請求の範囲】
【請求項１】
街路灯に関する街路灯管理データと、当該街路灯が設置された場所や線路等の地図情報が格納された地図データと、をサーバに格納し、クライアントから入力された入力条件に基づいて必要な街路灯管理データを検索することを特徴とする街路灯管理システム。
【請求項２】
街路灯管理データは、工事情報と街路灯データ及び分電盤情報と、を含んで形成されていることを特徴とする請求項１に記載の街路灯管理システム。
【請求項３】
前記工事情報は、工事ＩＤ、道路ＩＤ、工事名称、施工業者名、図面パスを含んで構成されていることを特徴とする請求項２に記載の街路灯管理システム。
【請求項４】
前記街路灯データは、街路灯ＩＤ、工事ＩＤ、灯柱番号、設置方式の構造ＩＤ、設置方式の電力供給ＩＤ、設置住所、高さ・出幅・角度等の灯柱形式に関する情報、灯柱仕上げに関する情報、灯種別に関する情報、ランプ形式に関する情報、安定器ＩＤ、点滅器情報、節電方式ＩＤ、電源方式の相・線式・Ｖに関する情報、引き込み柱有無フラグ、電力会社番号、営業所に関する情報、契約容量に関する情報、履歴ＩＤ、画像パス、座標登録の有無に関する情報を含んで構成されていることを特徴とする請求項２に記載の街路灯管理システム。
【請求項５】
前記分電盤情報は、分電盤ＩＤ、工事ＩＤ、名称、番号、場所、灯数、設置年月、型式、調光時間、消灯時間、契約容量、製造年、履歴ＩＤ、画像パス、座標登録の有無に関する情報を含んで構成されていることを特徴とする請求項２に記載の街路灯管理システム。
【請求項６】
クライアントからサーバへのアクセスは、通信ネットワークを介して入手可能であることを特徴とする請求項１乃至請求項５のいずれかに記載の街路灯管理システム。
【請求項７】
前記街路灯には、光感知センサーを付設し、該光感知センサーは、街路灯の点灯時間内における事故消灯状態を検知し、該事故消灯情報を、通信手段を介して上記サーバへと自動的に送信することを特徴とする請求項１乃至請求項５のいずれかに記載の街路灯管理システム。
【請求項８】
前記通信手段は、電話回線であることを特徴とする請求項７に記載の街路灯管理システム。
【請求項９】
前記通信手段は、ＦＭ波を利用したものであることを特徴とする請求項７に記載の街路灯管理システム。
【請求項１０】
前記事故消灯情報を受信したサーバは、該事故消灯情報をクライアントへと自動的に通信し、該クライアントは、上記事故消灯情報を前記地図データと照合させて自動的に画面上にリアルタイムで表示することを特徴とする請求項７乃至請求項９のいずれかに記載の街路灯管理システム。
【請求項１１】
前記事故消灯情報は、巡回中のパトロール車に搭載されたクライアントでも受信可能であることを特徴とする請求項１０に記載の街路灯管理システム。
【発明の詳細な説明】
【０００１】
【発明の属する技術分野】
この発明は、道路沿い等に設置されている街路灯の管理システムに関する。
【０００２】
【従来の技術】
道路沿い等に設置されている街路灯は、従来、街路灯１基毎にＩＤを付し、かつ、必要な事項を書き込んだ紙製の管理カードで管理されており、灯の損壊通報があった場合には、該管理カードの記載事項を手がかりに地図帳で設置場所を確認し、保守作業員に当該設置場所の住所や当該街路灯の型式や損壊情報等を電話等で連絡し、保守作業を実施しているのが現状である。
【０００３】
【発明が解決しようとする課題】
しかしながら、街路灯は、一区当たり、例えば、５０００基以上設置されており、これを１基づつ管理カードに必要事項を記入して管理しなければならないため、かかる作業が非常に煩雑であり、また、目的の街路灯の管理カードを捜すのに多大の労力と時間がかかる、という問題を有していた。また、街路灯が、新設され、或は、廃止された場合も多く、その都度、新たに情報を書き換えたり追記しなければならないため、かかる作業も非常に煩雑であり、さらには、保守作業履歴も保存しなければならず、管理に多大の労力を必要とする、という問題を有していた。
【０００４】
一方、街路灯の灯が消えていたり壊れているのを発見した通報者も、当該損壊街路灯の設置場所を口頭で特定するのが非常に困難であるため、一般的に付近の目標となる建物等を目印に、おおよその場所を通報してくるのが現状である。このため、通報を受けた街路灯管理者側では、どのような型式の街路灯がどのように損壊しているのかを正確に把握することが難しいため、その付近に設置されている街路灯の全ての損壊部交換部品を用意して現場に向かわなければならず、かかる作業が非常に煩雑であると共に、出動までの時間がかかりすぎ、非常に非効率的である、という問題を有していた。
【０００５】
この発明は、かかる現状に鑑み創案されたものであって、その目的とするところは、街路灯の管理データと地図データとをリンクさせて目的の街路灯の設置場所や型式等を保守作業に必要な情報を容易に検索することができると共に、街路灯の損壊情報を、通報を待つまでもなくリアルタイムで入手することができ、以って、この種の街路灯管理を飛躍的に簡略化し省力化することができる街路灯管理システムを提供しようとするものである。
【０００６】
【課題を解決するための手段】
上記目的を達成するため、請求項１に記載の街路灯管理システムに係る発明にあっては、街路灯に関する街路灯管理データと、当該街路灯が設置された場所や線路等の地図情報が格納された地図データと、をサーバに格納し、クライアントから入力された入力条件に基づいて必要な街路灯管理データを検索することを特徴とするものである。
【０００７】
これにより、目的の街路灯を、管理カードと地図とを対照しながら探す手間がなくなり、街路灯ＩＤが判っているときには、該街路灯ＩＤを入力するだけで目的の街路灯の設置位置を地図上に点滅させ、或は色彩を異ならしめることでクライアントコンピュータに画像表示することができると共に、同一の画面上或は異なる画面に当該街路灯の管理データを表示することができるので、保守や補修等に必要な情報と場所を簡単に得ることができる。
【０００８】
この発明において、街路灯管理データとは、請求項２に記載したように、工事情報と街路灯データ及び分電盤情報と、を含んで形成するのが望ましい。
【０００９】
また、この発明において、前記工事情報には、請求項３に記載したように、工事ＩＤ、道路ＩＤ、工事名称、施工業者名、図面パスを含んで形成するのが望ましい。
【００１０】
さらに、この発明において、前記街路灯データには、請求項４に記載したように、街路灯ＩＤ、工事ＩＤ、灯柱番号、設置方式の構造ＩＤ、設置方式の電力供給ＩＤ、設置住所、高さ・出幅・角度等の灯柱形式に関する情報、灯柱仕上げに関する情報、灯種別に関する情報、ランプ形式に関する情報、安定器ＩＤ、点滅器情報、節電方式ＩＤ、電源方式の相・線式・Ｖに関する情報、引き込み柱有無フラグ、電力会社番号、営業所に関する情報、契約容量に関する情報、履歴ＩＤ、画像パス、座標登録の有無に関する情報含んで形成するのが望ましい。
【００１１】
またさらに、前記分電盤情報には、請求項５に記載したように、分電盤ＩＤ、工事ＩＤ、名称、番号、場所、灯数、設置年月、型式、調光時間、消灯時間、契約容量、製造年、履歴ＩＤ、画像パス、座標登録の有無に関する情報を含んで形成するのが望ましい。
【００１２】
これら工事情報と街路灯データ及び分電盤情報は、保守や補修作業を行う上で、必要不可欠な情報であるが、この発明にあってはこれに限定されるものではなく、地区特有の仕様その他の情報が含まれて形成されてもよい。
【００１３】
このように構成される街路灯管理データが格納されたサーバへのクライアントからのアクセスは、例えば、請求項６に記載したように、インターネット等の通信ネットワークを介して実行可能である。勿論、この通信ネットワークには、ＬＡＮや無線通信ネットワークの他、携帯電話を利用した通信ネットワークや、電話回線を利用した各種通信ネットワーク等、公知の各種通信ネットワークを用いることができる。
【００１４】
また、この発明に係る街路灯管理システムにあっては、請求項７に記載したように、前記街路灯に、街路灯の点灯状態を監視する光感知センサーを付設し、該光感知センサーは、街路灯の点灯時間内における灯の寿命による消灯や事故による消灯状態等を検知し、該事故消灯情報を、通信手段を介して上記サーバへと自動的に送信することを特徴とするものである。
【００１５】
この事故消灯情報は、当該街路灯に配設された光感知センサを含む自動発信装置から、公知の各種通信手段、例えば、請求項８に記載した電話回線や、請求項９に記載のＦＭ波を利用したものを用いることができる。勿論、通信エリアが小さい場合には、無線を用いることができる。
【００１６】
また、この事故消灯情報は、請求項１０に記載したように、事故消灯情報を受信したサーバが、該事故消灯情報をクライアントへと自動的に通信し、該クライアントは、上記事故消灯情報を前記地図データと照合させて自動的に画面上にリアルタイムで表示することができる。
【００１７】
さらに、この発明にあっては、上記事故消灯情報を、請求項１１に記載したように、巡回中のパトロール車に搭載されたクライアントコンピュータでも受信可能に構成したことを特徴とするものである。
【００１８】
このように構成することで、通報者からの通報を待つまでもなく、リアルタイムで事故消灯状態を監視することができ、しかも、サーバ側がこれを受信した場合には、当該街路灯の設置場所を地図上に自動的に表示し、識別できるように構成すれば、迅速に保守・補修作業にかかることが可能となり、また、当該街路灯の管理データも即座に得ることができるので、必要な交換部品のみを持って出動することができる。
【００１９】
【発明の実施の形態】
以下、添付図面に示す実施の一形態例に基づきこの発明を詳細に説明する。
【００２０】
図１は、この発明に実施の第１形態例に係る街路灯管理システムのオフラインシステムの概略的な構成を示しており、同図において、符号１，２は夫々データ入力・管理用コンピュータであり、これら各データ入力・管理用コンピュータ１，２には、街路灯管理データや地図データ及び線路データが格納可能であり、これらのデータはＦＤ或はＣＤ−Ｒを介して入力保存可能に構成されている。
【００２１】
図２は、この発明の実施の第２形態例に係る街路灯管理システムのオンラインシステムの概略的な構成を示しており、同図において、符号３はサーバを示しており、該サーバ３には、管理用クライアントコンピュータ４及び複数のデータ入力コンピュータ５，５，５‥がＬＡＮ・専用回線・イントラネットを介して接続されており、上記サーバ３及びデータ入力コンピュータ５，５，５‥には、街路灯管理データや地図データ及び線路データが格納されて保存されている。勿論、５，５，５‥に格納される各データは、サーバ３が全ての地区のデータを保存するのに対して、各地区毎のデータであっても構わない。このオンラインシステムでは、上記各データの更新をネットワーク上で更新することができる。
【００２２】
ここで、上記街路灯管理データは、工事情報と街路灯データ及び分電盤情報と、を含んで形成されている。
【００２３】
上記工事情報は、工事ＩＤ、道路マスタ情報とのリンク用の道路ＩＤ、工事名称、施工業者名、図面パスを含んで構成されている。道路マスタ情報には、路線情報データベースとのリンク用道路ＩＤと道路種別情報データベースとのリンク用道路種別ＩＤが含まれる。
【００２４】
また、上記街路灯データは、街路灯ＩＤ、工事情報データベースとのリンク用工事ＩＤ、灯柱番号、自立型か共架型の別を選択する設置方式の構造ＩＤ、独立型か連接型の別を表す設置方式の電力供給ＩＤ、市区町村ＩＤで管理されている設置住所、高さ・出幅・角度（０／５／１５度から選択）等の灯柱形式に関する情報、灯柱仕上げ（塗装／メッキの別）に関する情報、灯種別に関する情報、ランプ形式に関する情報、一般・調光・低電力の別を選択可能な安定器ＩＤ、点滅器情報、減光・調光・無の別を選択可能な節電方式ＩＤ、電源方式の相・線式・Ｖ（ボルト）に関する情報、引き込み柱有無フラグ、電力会社番号、営業所に関する情報、契約容量に関する情報、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで形成されている。
【００２５】
尚、上記灯種別に関する情報には、街路灯、横断歩道灯、橋梁灯、歩道橋灯、跨線橋灯、随道灯、地下道灯、警戒標識灯の別を選択できるように構成されている。
【００２６】
さらに、上記分電盤情報は、分電盤ＩＤ、路線情報データベースとのリンク用工事ＩＤ、名称、番号、場所、灯数、設置年月、型式、調光時間、消灯時間、契約容量、製造年、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで構成されている。
【００２７】
次に、新たに設置される街路灯のケースを例にとり、上記各データの入力ステップを図３に基づき説明すると、街路灯設置工事（ステップＳ１）が終了した後、当該街路灯の上記各データを入力・編集（ステップＳ２）し、このデータを当該作業コンピュータに保存（ステップＳ３）することで、データ管理作業（ステップＳ４）が終了する。このようにして作成された管理データは、ＦＤやＣＤ−Ｒ或はオンラインでサーバ３や他のクライアントコンピュータにも保存されるため、必要な最新のデータを、全てのクライアントコンピュータから読み込み（ステップＳ５）、データ管理することができる（ステップＳ６）。
【００２８】
図４は、サーバ３で市全域のデータを一元管理する場合のフローチャートを示しており、街路灯設置工事（ステップＳ１０）が終了した後、当該街路灯の上記各データを入力・編集（ステップＳ１１）し、このデータを当該作業コンピュータに保存（ステップＳ１２）することで、データ管理作業（ステップＳ１３）が終了する。このようにして作成された管理データは、オンラインで他のクライアントコンピュータへと転送されるため、必要な最新のデータを、全てのクライアントコンピュータでデータ管理することができる（ステップＳ１４）。
【００２９】
図５は、本システムのデータベースの概要を示すもので、該データベースは、履歴管理情報を含む街路灯情報データベース１０と線路情報データベース１１及び図面情報（１画像）データベース１２がリンク接続されており、かつ、履歴管理情報を含む分電盤情報データベース１３及び引込柱情報データベース１４が上記線路情報データベース１１とリンク接続され、これら各データベース１０，１１，１２，１３，１４の情報は、地図データ１５上にマッピング可能に構築されている。
【００３０】
図６は、本システムの機能を示す説明図であり、メイン画面２０では、街路灯管理データと分電盤情報及び引込柱情報（以下、ユーザーデータと総称する。）の詳細表示（図面データ１点を含む。）と、地図表示機能と、線路検索及び地図検索を実行できるように構成されている。ここで、地図表示機能とは、距離や面積測定、地図範囲指定、ファイル出力及びクリップボード出力の各機能を含むものとする。
【００３１】
このように構築されたメイン画面２０でユーザーデータ検索２１とマッピング２２及び集計２３を実行することができる。ユーザーデータ検索２１では、検索対象データの条件設定を行い、検索を実行する。そして、検索した結果が一覧表示され、ユーザーデータとして編集される。このユーザーデータ２１には線路情報等の変更も含まれる。また、ユーザーデータマッピング２２では、マッピング対象データの条件設定を行い、検索を実行する。そして、検索した結果が一覧表示され、マッピングが実行される。ユーザーデータ集計２３では、集計条件設定を行い、集計を実行する。そして、集計した結果が表示され、ファイル出力される。
【００３２】
図７は、本システムで表示される画面例（本形態例では、ＭｉｃｒｏｓｏｆｔＡｃｃｅｓｓを使用。）を示しており、画面Ａ部には検索された地域の地図データが表示され、画面Ａ部の左側Ｂ部には、地図検索条件が指定可能な条件スイッチが表示され、該Ｂ部下のＣ部には、住所検索条件が指定可能な条件スイッチが表示され、さらに、該Ｃ部の下のＤ部には線路情報が表示され、また、上記Ａ部の下のＥ部には、街路灯管理データの一覧が表示されており、利用者は、この画面を見ながら必要とする街路灯の所在や管理データを検索することができるように構成されている。
【００３３】
この形態例に係る街路灯管理システムは、以上説明したように、施工日や使用部品等からの検索が可能であるため、膨大な数の街路灯の中から目的の街路灯のデータ詳細や設置場所を瞬時に特定することができ、各街路灯のメンテナンス状況を容易に把握することができると共に、年度毎の各地区担当者への引継ぎをスムーズに行うことができ、また、地図データの更新時において街路灯位置の地図帳への転記作業が不要となる等の効果が得られる。
【００３４】
図８は、この発明の実施の第３形態例に係る街路灯管理システムを示しており、この形態例に係るシステムでは、第１及び第２形態例と同様に構成されてなる街路灯Ｇに、光感知センサー３１を付設し、該光感知センサー３１は、街路灯Ｇの点灯時間内における調光時間内における灯３０の寿命による消灯状態や破損による消灯状態（以下、事故消灯状態という。）を検知し、該事故消灯状態情報を、通信手段を介して上記サーバ３へと自動的に送信するように構成されている。
【００３５】
この場合、前記通信手段は、電話回線やＦＭ波或いは無線等の公知の通信手段を利用し、リアルタイムで上記事故消灯状態をサーバ３へと送信し、該サーバ３は、該事故消灯情報をクライアントコンピュータ４，５へと自動的に通信し、該クライアントコンピュータ４，５は、上記事故消灯情報を前記地図データと照合させて自動的に画面上にリアルタイムで表示すると共に、上記サーバ３は、さらに当該街路灯の管理データの該当する項目を自動的に更新して保存する。
【００３６】
また、この形態例に係るシステムでは、上記光感知センサー３１からの事故消灯情報を、当該街路灯Ｇの近くの道路Ｒを巡回中のパトロール車Ｋに搭載されたクライアントコンピュータ（図示せず）でも受信できるように構成されており、より迅速に保守・補修作業を行うことができるように構成されている。勿論、上記巡回中のパトロール車Ｋに搭載されたクライアントコンピュータは、サーバ３を介して事故消灯情報を受信するように構成してもよい。
【００３７】
この形態例に係るシステムは、以上のように構成されているので、第１及び第２形態例に係るシステムが奏する効果に加え、通報者からの通報を待つまでもなく、リアルタイムで事故消灯状態を監視することができ、しかも、サーバ側がこれを受信した場合には、当該街路灯の設置場所を地図上に自動的に表示し、識別できるように構成されているので、迅速に保守・補修作業にかかることが可能となり、また、当該街路灯の管理データも即座に得ることができるので、必要な交換部品のみを持って出動することができる、という効果が得られる。
【００３８】
【発明の効果】
この発明に係る街路灯管理システムは、以上説明したように構成されているので、街路灯の管理データと地図データとをリンクさせて目的の街路灯の設置場所や型式等を保守作業に必要な情報を容易に検索することができると共に、街路灯の損壊情報を、通報を待つまでもなくリアルタイムで入手することができ、以って、この種の街路灯管理を飛躍的に簡略化し省力化することができる等、幾多の優れた効果を奏する。
【図面の簡単な説明】
【図１】この発明の実施の第１形態例に係るオフライン方式の街路灯管理システム概要を示す説明図である。
【図２】この発明の実施の第２形態例に係るオンライン方式の街路灯管理システム概要を示す説明図である。
【図３】新たに設置される街路灯のデータの入力ステップを示すフローチャートである。
【図４】サーバで市全域のデータを一元管理する場合の作業フローチャートである。
【図５】本街路灯管理システムのデータベースの概要を示す説明図である。
【図６】本街路灯管理システムの機能を示す説明図である。
【図７】本街路灯管理システムで表示される一画面例を示す図である。
【図８】この発明の実施の第３形態例に係る街路灯管理システム概要を示す説明図である。
【符号の説明】
Ｇ　街路灯
１，２　データ入力・管理用コンピュータ
３　サーバ
４　管理用クライアントコンピュータ
５　データ入力コンピュータ
１０　街路灯管理情報データベース
１１　線路情報データベース
１３　分電盤情報データベース
１５　地図データ
【図１】
2004119030.tif 000003
【図２】
2004119030.tif 000004
【図３】
2004119030.tif 000005
【図４】
2004119030.tif 000006
【図５】
2004119030.tif 000007
【図６】
2004119030.tif 000008
【図７】
2004119030.tif 000009
【図８】
2004119030.tif 000010
【手続補正書】
【提出日】平成15年7月14日(2003.7.14)
【手続補正１】
【補正対象書類名】明細書
【補正対象項目名】全文
【補正方法】変更
【補正の内容】
【特許請求の範囲】
【請求項１】街路灯に関する街路灯管理データと、当該街路灯が設置された場所や線路等の地図情報が格納された地図データと、をサーバに格納し、クライアントから入力された入力条件に基づいて必要な街路灯管理データを通信手段で検索可能に構成してなる街路灯管理システムにおいて、上記街路灯管理データは、少なくとも街路灯データ及び分電盤情報と、を含んで形成されていることを特徴とする街路灯管理システム。
【請求項２】前記街路灯データは、街路灯ＩＤ、工事ＩＤ、灯柱番号、設置方式の構造ＩＤ、設置方式の電力供給ＩＤ、設置住所、高さ・出幅・角度等の灯柱形式に関する情報、灯柱仕上げに関する情報、灯種別に関する情報、ランプ形式に関する情報、安定器ＩＤ、点滅器情報、節電方式ＩＤ、電源方式の相・線式・Ｖに関する情報、引き込み柱有無フラグ、電力会社番号、営業所に関する情報、契約容量に関する情報、履歴ＩＤ、画像パス、座標登録の有無に関する情報を含んで構成されていることを特徴とする請求項１に記載の街路灯管理システム。
【請求項３】前記分電盤情報は、分電盤ＩＤ、工事ＩＤ、名称、番号、場所、灯数、設置年月、型式、調光時間、消灯時間、契約容量、製造年、履歴ＩＤ、画像パス、座標登録の有無に関する情報を含んで構成されていることを特徴とする請求項１に記載の街路灯管理システム。
【請求項４】　前記街路灯管理データには、工事情報が含まれていることを特徴とする請求項１に記載の街路灯管理システム。
【請求項５】前記工事情報は、工事ＩＤ、道路ＩＤ、工事名称、施工業者名、図面パスを含んで構成されていることを特徴とする請求項４に記載の街路灯管理システム。
【発明の詳細な説明】
【０００１】
【発明の属する技術分野】
この発明は、道路沿い等に設置されている街路灯の管理システムに関する。
【０００２】
【従来の技術】
道路沿い等に設置されている街路灯は、従来、街路灯１基毎にＩＤを付し、かつ、必要な事項を書き込んだ紙製の管理カードで管理されており、灯の損壊通報があった場合には、該管理カードの記載事項を手がかりに地図帳で設置場所を確認し、保守作業員に当該設置場所の住所や当該街路灯の型式や損壊情報等を電話等で連絡し、保守作業を実施しているのが現状である。
【０００３】
【発明が解決しようとする課題】
しかしながら、街路灯は、一区当たり、例えば、５０００基以上設置されており、これを１基づつ管理カードに必要事項を記入して管理しなければならないため、かかる作業が非常に煩雑であり、また、目的の街路灯の管理カードを捜すのに多大の労力と時間がかかる、という問題を有していた。また、街路灯が、新設され、或は、廃止された場合も多く、その都度、新たに情報を書き換えたり追記しなければならないため、かかる作業も非常に煩雑であり、さらには、保守作業履歴も保存しなければならず、管理に多大の労力を必要とする、という問題を有していた。
【０００４】
一方、街路灯の灯が消えていたり壊れているのを発見した通報者も、当該損壊街路灯の設置場所を口頭で特定するのが非常に困難であるため、一般的に付近の目標となる建物等を目印に、おおよその場所を通報してくるのが現状である。このため、通報を受けた街路灯管理者側では、どのような型式の街路灯がどのように損壊しているのかを正確に把握することが難しく、また、損壊の原因が、投石等による破損が原因なのか、或は、過電流や漏電に基づくものなのか等を把握することができないため、その付近に設置されている街路灯の全ての損壊部交換部品を用意して現場に向かわなければならず、かかる作業が非常に煩雑であると共に、出動までの時間がかかりすぎ、非常に非効率的である、という問題を有していた。
【０００５】
この発明は、かかる現状に鑑み創案されたものであって、その目的とするところは、消灯した街路灯に関する街路灯管理データを通信手段で検索することができ、しかも、この街路灯管理データは、当該街路灯データ及び分電盤データで形成されているため、街路灯の消灯原因が、投石等による外的要因によるものか、過電流或は漏電等の分電盤側の要因によるものなのかを、管理者側が迅速、かつ、正確に知ることができ、以って、この種の街路灯管理を飛躍的に簡略化し省力化することができる街路灯管理システムを提供しようとするものである。
【０００６】
【課題を解決するための手段】
上記目的を達成するため、請求項１に記載の街路灯管理システムにあっては、街路灯に関する街路灯管理データと、当該街路灯が設置された場所や線路等の地図情報が格納された地図データと、をサーバに格納し、クライアントから入力された入力条件に基づいて必要な街路灯管理データを通信手段で検索可能に構成してなる街路灯管理システムを技術的前提とし、上記街路灯管理データは、少なくとも街路灯データ及び分電盤情報と、を含んで形成されていることを特徴とするものである。
【０００７】
これにより、目的の消灯した街路灯に関する街路灯管理データを通信手段で検索することができ、しかも、この街路灯管理データは、当該街路灯データ及び分電盤データで形成されているため、街路灯の消灯原因が、投石等による外的要因によるものか、過電流或は漏電等の分電盤側の要因によるものなのかを、管理者側が迅速、かつ、正確に保守や補修等に必要な情報を簡単に得ることができる。
【０００８】
この発明において、前記街路灯データには、請求項２に記載したように、街路灯ＩＤ、工事ＩＤ、灯柱番号、設置方式の構造ＩＤ、設置方式の電力供給ＩＤ、設置住所、高さ・出幅・角度等の灯柱形式に関する情報、灯柱仕上げに関する情報、灯種別に関する情報、ランプ形式に関する情報、安定器ＩＤ、点滅器情報、節電方式ＩＤ、電源方式の相・線式・Ｖに関する情報、引き込み柱有無フラグ、電力会社番号、営業所に関する情報、契約容量に関する情報、履歴ＩＤ、画像パス、座標登録の有無に関する情報含んで形成するのが望ましい。
【０００９】
また、前記分電盤情報には、請求項３に記載したように、分電盤ＩＤ、工事ＩＤ、名称、番号、場所、灯数、設置年月、型式、調光時間、消灯時間、契約容量、製造年、履歴ＩＤ、画像パス、座標登録の有無に関する情報を含んで形成するのが望ましい。
【００１０】
さらに、この発明において、前記街路灯管理データには、請求項４に記載したように、工事情報を含んで形成するのが望ましい。
【００１１】
また、この工事情報には、請求項５に記載したように、工事ＩＤ、道路ＩＤ、工事名称、施工業者名、図面パスを含んで形成するのが望ましい。
【００１２】
これら工事情報は、保守や補修作業を行う上で、必要不可欠な情報であるが、この発明にあってはこれに限定されるものではなく、地区特有の仕様その他の情報が含まれて形成されてもよい。
【００１３】
尚、このように構成される街路灯管理データが格納されたサーバへのクライアントからのアクセスは、例えば、インターネット等の通信ネットワークを介して実行可能である。勿論、この通信ネットワークには、ＬＡＮや無線通信ネットワークの他、携帯電話を利用した通信ネットワークや、電話回線を利用した各種通信ネットワーク等、公知の各種通信ネットワークを用いることができる。また、前記街路灯には、街路灯の点灯状態を監視する光感知センサーを付設し、該光感知センサーは、街路灯の点灯時間内における灯の寿命による消灯や事故による消灯状態等を検知し、該事故消灯情報を、通信手段を介して上記サーバへと自動的に送信することを特徴とするものである。
【００１４】
【発明の実施の形態】
以下、添付図面に示す実施の一形態例に基づきこの発明を詳細に説明する。
【００１５】
図１は、この発明に実施の第１形態例に係る街路灯管理システムのオフラインシステムの概略的な構成を示しており、同図において、符号１，２は夫々データ入力・管理用コンピュータであり、これら各データ入力・管理用コンピュータ１，２には、街路灯管理データや地図データ及び線路データが格納可能であり、これらのデータはＦＤ或はＣＤ−Ｒを介して入力保存可能に構成されている。
【００１６】
図２は、この発明の実施の第２形態例に係る街路灯管理システムのオンラインシステムの概略的な構成を示しており、同図において、符号３はサーバを示しており、該サーバ３には、管理用クライアントコンピュータ４及び複数のデータ入力コンピュータ５，５，５‥がＬＡＮ・専用回線・イントラネットを介して接続されており、上記サーバ３及びデータ入力コンピュータ５，５，５‥には、街路灯管理データや地図データ及び線路データが格納されて保存されている。勿論、５，５，５‥に格納される各データは、サーバ３が全ての地区のデータを保存するのに対して、各地区毎のデータであっても構わない。このオンラインシステムでは、上記各データの更新をネットワーク上で更新することができる。
【００１７】
ここで、上記街路灯管理データは、工事情報と街路灯データ及び分電盤情報と、を含んで形成されている。
【００１８】
上記工事情報は、工事ＩＤ、道路マスタ情報とのリンク用の道路ＩＤ、工事名称、施工業者名、図面パスを含んで構成されている。道路マスタ情報には、路線情報データベースとのリンク用道路ＩＤと道路種別情報データベースとのリンク用道路種別ＩＤが含まれる。
【００１９】
また、上記街路灯データは、街路灯ＩＤ、工事情報データベースとのリンク用工事ＩＤ、灯柱番号、自立型か共架型の別を選択する設置方式の構造ＩＤ、独立型か連接型の別を表す設置方式の電力供給ＩＤ、市区町村ＩＤで管理されている設置住所、高さ・出幅・角度（０／５／１５度から選択）等の灯柱形式に関する情報、灯柱仕上げ（塗装／メッキの別）に関する情報、灯種別に関する情報、ランプ形式に関する情報、一般・調光・低電力の別を選択可能な安定器ＩＤ、点滅器情報、減光・調光・無の別を選択可能な節電方式ＩＤ、電源方式の相・線式・Ｖ（ボルト）に関する情報、引き込み柱有無フラグ、電力会社番号、営業所に関する情報、契約容量に関する情報、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで形成されている。
【００２０】
尚、上記灯種別に関する情報には、街路灯、横断歩道灯、橋梁灯、歩道橋灯、跨線橋灯、随道灯、地下道灯、警戒標識灯の別を選択できるように構成されている。
【００２１】
分電盤は、自明ではあるが、その中に、サービスブレーカや漏電ブレーカ及び安全ブレーカを備えており、契約以上の電気の流れを遮断したり、電気容量のチェックや安全確保等を司る機能を備えた装置であり、従って、上記分電盤情報は、分電盤ＩＤ、路線情報データベースとのリンク用工事ＩＤ、名称、番号、場所、灯数、設置年月、型式、調光時間、消灯時間、契約容量、製造年、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで構成されている。
【００２２】
次に、新たに設置される街路灯のケースを例にとり、上記各データの入力ステップを図３に基づき説明すると、街路灯設置工事（ステップＳ１）が終了した後、当該街路灯の上記各データを入力・編集（ステップＳ２）し、このデータを当該作業コンピュータに保存（ステップＳ３）することで、データ管理作業（ステップＳ４）が終了する。このようにして作成された管理データは、ＦＤやＣＤ−Ｒ或はオンラインでサーバ３や他のクライアントコンピュータにも保存されるため、必要な最新のデータを、全てのクライアントコンピュータから読み込み（ステップＳ５）、データ管理することができる（ステップＳ６）。
【００２３】
図４は、サーバ３で市全域のデータを一元管理する場合のフローチャートを示しており、街路灯設置工事（ステップＳ１０）が終了した後、当該街路灯の上記各データを入力・編集（ステップＳ１１）し、このデータを当該作業コンピュータに保存（ステップＳ１２）することで、データ管理作業（ステップＳ１３）が終了する。このようにして作成された管理データは、オンラインで他のクライアントコンピュータへと転送されるため、必要な最新のデータを、全てのクライアントコンピュータでデータ管理することができる（ステップＳ１４）。
【００２４】
図５は、本システムのデータベースの概要を示すもので、該データベースは、履歴管理情報を含む街路灯情報データベース１０と線路情報データベース１１及び図面情報（１画像）データベース１２がリンク接続されており、かつ、履歴管理情報を含む分電盤情報データベース１３及び引込柱情報データベース１４が上記線路情報データベース１１とリンク接続され、これら各データベース１０，１１，１２，１３，１４の情報は、地図データ１５上にマッピング可能に構築されている。
【００２５】
図６は、本システムの機能を示す説明図であり、メイン画面２０では、街路灯管理データと分電盤情報及び引込柱情報（以下、ユーザーデータと総称する。）の詳細表示（図面データ１点を含む。）と、地図表示機能と、線路検索及び地図検索を実行できるように構成されている。ここで、地図表示機能とは、距離や面積測定、地図範囲指定、ファイル出力及びクリップボード出力の各機能を含むものとする。
【００２６】
このように構築されたメイン画面２０でユーザーデータ検索２１とマッピング２２及び集計２３を実行することができる。ユーザーデータ検索２１では、検索対象データの条件設定を行い、検索を実行する。そして、検索した結果が一覧表示され、ユーザーデータとして編集される。このユーザーデータ２１には線路情報等の変更も含まれる。また、ユーザーデータマッピング２２では、マッピング対象データの条件設定を行い、検索を実行する。そして、検索した結果が一覧表示され、マッピングが実行される。ユーザーデータ集計２３では、集計条件設定を行い、集計を実行する。そして、集計した結果が表示され、ファイル出力される。
【００２７】
図７は、本システムで表示される画面例（本形態例では、Ｍｉｃｒｏｓｏｆｔ　Ａｃｃｅｓｓを使用。）を示しており、画面Ａ部には検索された地域の地図データが表示され、画面Ａ部の左側Ｂ部には、地図検索条件が指定可能な条件スイッチが表示され、該Ｂ部下のＣ部には、住所検索条件が指定可能な条件スイッチが表示され、さらに、該Ｃ部の下のＤ部には線路情報が表示され、また、上記Ａ部の下のＥ部には、街路灯管理データの一覧が表示されており、利用者は、この画面を見ながら必要とする街路灯の所在や管理データを検索することができるように構成されている。
【００２８】
この形態例に係る街路灯管理システムは、以上説明したように、施工日や使用部品等からの検索が可能であるため、膨大な数の街路灯の中から目的の街路灯のデータ詳細や設置場所を瞬時に特定することができ、各街路灯のメンテナンス状況を容易に把握することができると共に、年度毎の各地区担当者への引継ぎをスムーズに行うことができ、また、地図データの更新時において街路灯位置の地図帳への転記作業が不要となる他、街路灯情報データベース１０と線路情報データベース１１及び図面情報（１画像）データベース１２がリンク接続されており、かつ、履歴管理情報を含む分電盤情報データベース１３及び引込柱情報データベース１４が上記線路情報データベース１１とリンク接続され、これら各データベース１０，１１，１２，１３，１４の情報は、地図データ１５上にマッピング可能に構築されているで、目的の消灯した街路灯に関する街路灯管理データを通信手段で検索することができ、しかも、この街路灯管理データは、当該街路灯データ及び分電盤データで形成されているため、街路灯の消灯原因が、投石等による外的要因によるものか、過電流或は漏電等の分電盤側の要因によるものなのかを、管理者側が保守や補修に必要な人員や交換部品及び問題解決方法を迅速、かつ、正確に把握することができる等の効果が得られる。
【００２９】
図８は、この発明の実施の第３形態例に係る街路灯管理システムを示しており、この形態例に係るシステムでは、第１及び第２形態例と同様に構成されてなる街路灯Ｇに、光感知センサー３１を付設し、該光感知センサー３１は、街路灯Ｇの点灯時間内における調光時間内における灯３０の寿命による消灯状態や破損による消灯状態（以下、事故消灯状態という。）を検知し、該事故消灯状態情報を、通信手段を介して上記サーバ３へと自動的に送信するように構成されている。
【００３０】
この場合、前記通信手段は、電話回線やＦＭ波或いは無線等の公知の通信手段を利用し、リアルタイムで上記事故消灯状態をサーバ３へと送信し、該サーバ３は、該事故消灯情報をクライアントコンピュータ４，５へと自動的に通信し、該クライアントコンピュータ４，５は、上記事故消灯情報を前記地図データと照合させて自動的に画面上にリアルタイムで表示すると共に、上記サーバ３は、さらに当該街路灯の管理データの該当する項目を自動的に更新して保存する。
【００３１】
また、この形態例に係るシステムでは、上記光感知センサー３１からの事故消灯情報を、当該街路灯Ｇの近くの道路Ｒを巡回中のパトロール車Ｋに搭載されたクライアントコンピュータ（図示せず）でも受信できるように構成されており、より迅速に保守・補修作業を行うことができるように構成されている。勿論、上記巡回中のパトロール車Ｋに搭載されたクライアントコンピュータは、サーバ３を介して事故消灯情報を受信するように構成してもよい。
【００３２】
この形態例に係るシステムは、以上のように構成されているので、第１及び第２形態例に係るシステムが奏する効果に加え、通報者からの通報を待つまでもなく、リアルタイムで事故消灯状態を監視することができ、しかも、サーバ側がこれを受信した場合には、当該街路灯の設置場所を地図上に自動的に表示し、識別できるように構成されているので、迅速に保守・補修作業にかかることが可能となり、また、当該街路灯の管理データも即座に得ることができるので、必要な交換部品のみを持って出動することができる、という効果が得られる。
【００３３】
【発明の効果】
この発明に係る街路灯管理システムは、以上説明したように構成されているので、消灯した街路灯に関する街路灯管理データを通信手段で検索することができ、しかも、この街路灯管理データは、当該街路灯データ及び分電盤データで形成されているため、街路灯の消灯原因が、投石等による外的要因によるものか、過電流或は漏電等の分電盤側の要因によるものなのかを、管理者側が迅速、かつ、正確に知ることができ、以って、この種の街路灯管理を飛躍的に簡略化し省力化することができる等、幾多の優れた効果を奏する。
【図面の簡単な説明】
【図１】この発明の実施の第１形態例に係るオフライン方式の街路灯管理システム概要を示す説明図である。
【図２】この発明の実施の第２形態例に係るオンライン方式の街路灯管理システム概要を示す説明図である。
【図３】新たに設置される街路灯のデータの入力ステップを示すフローチャートである。
【図４】サーバで市全域のデータを一元管理する場合の作業フローチャートである。
【図５】本街路灯管理システムのデータベースの概要を示す説明図である。
【図６】本街路灯管理システムの機能を示す説明図である。
【図７】本街路灯管理システムで表示される一画面例を示す図である。
【図８】この発明の実施の第３形態例に係る街路灯管理システム概要を示す説明図である。
【符号の説明】
Ｇ　街路灯
１，２　データ入力・管理用コンピュータ
３　サーバ
４　管理用クライアントコンピュータ
５　データ入力コンピュータ
１０　街路灯管理情報データベース
１１　線路情報データベース
１３　分電盤情報データベース
１５　地図データ




【手続補正書】
【提出日】平成15年9月25日(2003.9.25)
【手続補正１】
【補正対象書類名】明細書
【補正対象項目名】全文
【補正方法】変更
【補正の内容】
【特許請求の範囲】
【請求項１】街路灯に関する街路灯管理データと、当該街路灯が設置された場所や線路等の地図情報が格納された地図データと、をサーバに格納し、クライアントから入力された入力条件に基づいて必要な街路灯管理データを検索可能に構成してなる街路灯管理システムにおいて、上記検索が可能な入力条件は、街路灯管理データを構成する街路灯ＩＤ、灯柱番号、設置住所、高さ・出幅・角度等の灯柱形式に関する情報からなる街路灯データ、或は分電盤ＩＤ、名称、番号、場所、設置年月、型式、調光時間、消灯時間、契約容量に関する情報からなる分電盤情報、又は工事ＩＤ、道路ＩＤ、工事名称、施工業者名からなる工事情報のいずれかを１以上入力することで、保守・補修が必要な街路灯の位置を地図データとして画面上に表示すると同時に、当該街路灯の保守・補修に必要な情報を画面上に並べて表示可能であることを特徴とする街路灯管理システム。
【発明の詳細な説明】
【０００１】
【発明の属する技術分野】
この発明は、道路沿い等に設置されている街路灯の管理システムに関する。
【０００２】
【従来の技術】
道路沿い等に設置されている街路灯は、従来、街路灯１基毎にＩＤを付し、かつ、必要な事項を書き込んだ紙製の管理カードで管理されており、灯の損壊通報があった場合には、該管理カードの記載事項を手がかりに地図帳で設置場所を確認し、保守作業員に当該設置場所の住所や当該街路灯の型式や損壊情報等を電話等で連絡し、保守作業を実施しているのが現状である。
【０００３】
【発明が解決しようとする課題】
しかしながら、街路灯は、一区当たり、例えば、５０００基以上設置されており、これを１基づつ管理カードに必要事項を記入して管理しなければならないため、かかる作業が非常に煩雑であり、また、目的の街路灯の管理カードを捜すのに多大の労力と時間がかかる、という問題を有していた。また、街路灯が、新設され、或は、廃止された場合も多く、その都度、新たに情報を書き換えたり追記しなければならないため、かかる作業も非常に煩雑であり、さらには、保守作業履歴も保存しなければならず、管理に多大の労力を必要とする、という問題を有していた。
【０００４】
一方、街路灯の灯が消えていたり壊れているのを発見した通報者も、当該損壊街路灯の設置場所を口頭で特定するのが非常に困難であるため、一般的に付近の目標となる建物等を目印に、おおよその場所を通報してくるのが現状である。このため、通報を受けた街路灯管理者側では、どのような型式の街路灯がどのように損壊しているのかを正確に把握することが難しく、また、損壊の原因が、投石等による破損が原因なのか、或は、過電流や漏電に基づくものなのか等を把握することができないため、その付近に設置されている街路灯の全ての損壊部交換部品を用意して現場に向かわなければならず、かかる作業が非常に煩雑であると共に、出動までの時間がかかりすぎ、非常に非効率的である、という問題を有していた。
【０００５】
この発明は、かかる現状に鑑み創案されたものであって、その目的とするところは、消灯した街路灯に関する街路灯管理データを通信手段で検索することができ、しかも、この街路灯管理データは、当該街路灯データ及び分電盤データで形成されているため、街路灯の消灯原因が、投石等による外的要因によるものか、過電流或は漏電等の分電盤側の要因によるものなのか、或は工事作業に基づくものかを、管理者側が迅速、かつ、正確に知ることができ、以って、この種の街路灯管理を飛躍的に簡略化し省力化することができる街路灯管理システムを提供しようとするものである。
【０００６】
【課題を解決するための手段】
上記目的を達成するため、請求項１に記載の街路灯管理システムにあっては、街路灯に関する街路灯管理データと、当該街路灯が設置された場所や線路等の地図情報が格納された地図データと、をサーバに格納し、クライアントから入力された入力条件に基づいて必要な街路灯管理データを検索可能に構成してなる街路灯管理システムにおいて、上記検索が可能な入力条件は、街路灯管理データを構成する街路灯ＩＤ、灯柱番号、設置住所、高さ・出幅・角度等の灯柱形式に関する情報からなる街路灯データ、或は分電盤ＩＤ、名称、番号、場所、設置年月、型式、調光時間、消灯時間、契約容量に関する情報からなる分電盤情報、又は工事ＩＤ、道路ＩＤ、工事名称、施工業者名からなる工事情報のいずれかを１以上入力することで、保守・補修が必要な街路灯の位置を地図データとして画面上に表示すると同時に、当該街路灯の保守・補修に必要な情報を画面上に並べて表示可能であることを特徴とするものである。
【０００７】
このように構成することにより、この発明に係る街路灯管理システムにあっては、目的の消灯した街路灯に関する街路灯管理データのいずれか１以上の条件を入力するだけで、簡単に、かつ迅速に検索してコンピュータ画面上にその位置を地図データとして表示することができ、しかも、この街路灯管理データは、当該街路灯データ及び分電盤データ並びに工事情報で形成されているため、街路灯の消灯原因が、工事作業や投石等による外的要因によるものか、過電流或は漏電等の分電盤側の要因によるものなのかを、保守や補修等に必要な情報と共に上記画面上に並べて表示することができるので、保守や補修に必要な部品や工具を容易に確認し用意することができる。
【０００８】
この発明において、前記街路灯データには、上記街路灯ＩＤ、灯柱番号、設置住所、高さ・出幅・角度等の灯柱形式に関する情報からなる街路灯データの他に、工事ＩＤ、設置方式の構造ＩＤ、設置方式の電力供給ＩＤ、灯柱仕上げに関する情報、灯種別に関する情報、ランプ形式に関する情報、安定器ＩＤ、点滅器情報、節電方式ＩＤ、電源方式の相・線式・Ｖに関する情報、引き込み柱有無フラグ、電力会社番号、営業所に関する情報、契約容量に関する情報、履歴ＩＤ、画像パス、座標登録の有無に関する情報を含ませて形成することができる。
【０００９】
また、前記分電盤情報には、上記分電盤ＩＤ、名称、番号、場所、設置年月、型式に関する情報の他に、工事ＩＤ、灯数、製造年、調光時間、消灯時間、契約容量に関する情報、履歴ＩＤ、画像パス、座標登録の有無に関する情報を含んで形成することができる。
【００１０】
さらに、この発明において、前記街路灯管理データには、工事情報を含まれて構成されている。
【００１１】
この工事情報は、上記工事ＩＤ、道路ＩＤ、工事名称、施工業者名の他に、図面パスを含んで形成することができる。
【００１２】
これら工事情報は、保守や補修作業を行う上で、必要不可欠な情報であるが、この発明にあってはこれに限定されるものではなく、地区特有の仕様その他の情報が含まれて形成されてもよい。
【００１３】
尚、このように構成される街路灯管理データが格納されたサーバへのクライアントからのアクセスは、例えば、インターネット等の通信ネットワークを介して実行可能である。勿論、この通信ネットワークには、ＬＡＮや無線通信ネットワークの他、携帯電話を利用した通信ネットワークや、電話回線を利用した各種通信ネットワーク等、公知の各種通信ネットワークを用いることができる。
【００１４】
【発明の実施の形態】
以下、添付図面に示す実施の一形態例に基づきこの発明を詳細に説明する。
【００１５】
図１は、この発明に実施の第１形態例に係る街路灯管理システムのオフラインシステムの概略的な構成を示しており、同図において、符号１，２は夫々データ入力・管理用コンピュータであり、これら各データ入力・管理用コンピュータ１，２には、街路灯管理データや地図データ及び線路データが格納可能であり、これらのデータはＦＤ或はＣＤ−Ｒを介して入力保存可能に構成されている。
【００１６】
図２は、この発明の実施の第２形態例に係る街路灯管理システムのオンラインシステムの概略的な構成を示しており、同図において、符号３はサーバを示しており、該サーバ３には、管理用クライアントコンピュータ４及び複数のデータ入力コンピュータ５，５，５‥がＬＡＮ・専用回線・イントラネットを介して接続されており、上記サーバ３及びデータ入力コンピュータ５，５，５‥には、街路灯管理データや地図データ及び線路データが格納されて保存されている。勿論、５，５，５‥に格納される各データは、サーバ３が全ての地区のデータを保存するのに対して、各地区毎のデータであっても構わない。このオンラインシステムでは、上記各データの更新をネットワーク上で更新することができる。
【００１７】
ここで、上記街路灯管理データは、工事情報と街路灯データ及び分電盤情報と、を含んで形成されている。
【００１８】
上記工事情報は、工事ＩＤ、道路マスタ情報とのリンク用の道路ＩＤ、工事名称、施工業者名、図面パスを含んで構成されている。道路マスタ情報には、路線情報データベースとのリンク用道路ＩＤと道路種別情報データベースとのリンク用道路種別ＩＤが含まれる。
【００１９】
また、上記街路灯データは、街路灯ＩＤ、工事情報データベースとのリンク用工事ＩＤ、灯柱番号、自立型か共架型の別を選択する設置方式の構造ＩＤ、独立型か連接型の別を表す設置方式の電力供給ＩＤ、市区町村ＩＤで管理されている設置住所、高さ・出幅・角度（０／５／１５度から選択）等の灯柱形式に関する情報、灯柱仕上げ（塗装／メッキの別）に関する情報、灯種別に関する情報、ランプ形式に関する情報、一般・調光・低電力の別を選択可能な安定器ＩＤ、点滅器情報、減光・調光・無の別を選択可能な節電方式ＩＤ、電源方式の相・線式・Ｖ（ボルト）に関する情報、引き込み柱有無フラグ、電力会社番号、営業所に関する情報、契約容量に関する情報、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで形成されている。
【００２０】
尚、上記灯種別に関する情報には、街路灯、横断歩道灯、橋梁灯、歩道橋灯、跨線橋灯、随道灯、地下道灯、警戒標識灯の別を選択できるように構成されている。
【００２１】
分電盤は、自明ではあるが、その中に、サービスブレーカや漏電ブレーカ及び安全ブレーカを備えており、契約以上の電気の流れを遮断したり、電気容量のチェックや安全確保等を司る機能を備えた装置であり、従って、上記分電盤情報は、分電盤ＩＤ、路線情報データベースとのリンク用工事ＩＤ、名称、番号、場所、灯数、設置年月、型式、調光時間、消灯時間、契約容量、製造年、履歴ＩＤ、画像パス、座標登録の有無に関する情報の他に、Ｍａｒｋ　ＩＤ、Ｉｄｏ、Ｋｅｉｄｏ、Ｐａｔｔｅｒｎ、Ｐｏｓ、Ｃｏｌｏｒ、Ｔｅｘｔ　Ｃｏｌｏｒ、Ｂｋ　Ｃｏｌｏｒ、Ｓｗ　Ｃｏｌｏｒ、ＨＩ　Ｃｏｌｏｒ、Ｆｒａｍｅ　Ｃｏｌｏｒ、Ｄｉｒ　Ｃｏｌｏｒ、Ｔｅｘｔ　Ａｌｉｇｎ等の情報を含んで構成されている。
【００２２】
次に、新たに設置される街路灯のケースを例にとり、上記各データの入力ステップを図３に基づき説明すると、街路灯設置工事（ステップＳ１）が終了した後、当該街路灯の上記各データを入力・編集（ステップＳ２）し、このデータを当該作業コンピュータに保存（ステップＳ３）することで、データ管理作業（ステップＳ４）が終了する。このようにして作成された管理データは、ＦＤやＣＤ−Ｒ或はオンラインでサーバ３や他のクライアントコンピュータにも保存されるため、必要な最新のデータを、全てのクライアントコンピュータから読み込み（ステップＳ５）、データ管理することができる（ステップＳ６）。
【００２３】
図４は、サーバ３で市全域のデータを一元管理する場合のフローチャートを示しており、街路灯設置工事（ステップＳ１０）が終了した後、当該街路灯の上記各データを入力・編集（ステップＳ１１）し、このデータを当該作業コンピュータに保存（ステップＳ１２）することで、データ管理作業（ステップＳ１３）が終了する。このようにして作成された管理データは、オンラインで他のクライアントコンピュータへと転送されるため、必要な最新のデータを、全てのクライアントコンピュータでデータ管理することができる（ステップＳ１４）。
【００２４】
図５は、本システムのデータベースの概要を示すもので、該データベースは、履歴管理情報を含む街路灯情報データベース１０と線路情報データベース１１及び図面情報（１画像）データベース１２がリンク接続されており、かつ、履歴管理情報を含む分電盤情報データベース１３及び引込柱情報データベース１４が上記線路情報データベース１１とリンク接続され、これら各データベース１０，１１，１２，１３，１４の情報は、地図データ１５上にマッピング可能に構築されている。
【００２５】
図６は、本システムの機能を示す説明図であり、メイン画面２０では、街路灯管理データと分電盤情報及び引込柱情報（以下、ユーザーデータと総称する。）の詳細表示（図面データ１点を含む。）と、地図表示機能と、線路検索及び地図検索を実行できるように構成されている。ここで、地図表示機能とは、距離や面積測定、地図範囲指定、ファイル出力及びクリップボード出力の各機能を含むものとする。
【００２６】
このように構築されたメイン画面２０でユーザーデータ検索２１とマッピング２２及び集計２３を実行することができる。ユーザーデータ検索２１では、検索対象データの条件設定を行い、検索を実行する。そして、検索した結果が一覧表示され、ユーザーデータとして編集される。このユーザーデータ２１には線路情報等の変更も含まれる。また、ユーザーデータマッピング２２では、マッピング対象データの条件設定を行い、検索を実行する。そして、検索した結果が一覧表示され、マッピングが実行される。ユーザーデータ集計２３では、集計条件設定を行い、集計を実行する。そして、集計した結果が表示され、ファイル出力される。
【００２７】
図７は、本システムで表示される画面例（本形態例では、Ｍｉｃｒｏｓｏｆｔ　Ａｃｃｅｓｓを使用。）を示しており、画面Ａ部には検索された地域の地図データが表示され、画面Ａ部の左側Ｂ部には、地図検索条件が指定可能な条件スイッチが表示され、該Ｂ部下のＣ部には、住所検索条件が指定可能な条件スイッチが表示され、さらに、該Ｃ部の下のＤ部には線路情報が表示され、また、上記Ａ部の下のＥ部には、街路灯管理データの一覧が表示されており、利用者は、この画面を見ながら必要とする街路灯の所在や管理データを検索することができるように構成されている。
【００２８】
この形態例に係る街路灯管理システムは、以上説明したように、工事情報と街路灯データ及び分電盤情報からの検索が可能であるため、膨大な数の街路灯の中から目的の街路灯のデータ詳細や設置場所を瞬時に特定して当該街路灯に関する情報を地図データと共にコンピュータ画面上に表示することができるので、各街路灯のメンテナンス状況を容易に把握することができると共に、年度毎の各地区担当者への引継ぎをスムーズに行うことができ、また、地図データの更新時において街路灯位置の地図帳への転記作業が不要となる。また、街路灯情報データベース１０と線路情報データベース１１及び図面情報（１画像）データベース１２がリンク接続されており、かつ、履歴管理情報を含む分電盤情報データベース１３及び引込柱情報データベース１４が上記線路情報データベース１１とリンク接続され、これら各データベース１０，１１，１２，１３，１４の情報は、地図データ１５上にマッピング可能に構築されているで、目的の消灯した街路灯に関する街路灯管理データを通信手段を介して容易に、かつ、迅速に検索することができ、しかも、この街路灯管理データは、当該街路灯データ及び分電盤データ及び工事情報で形成されているため、街路灯の消灯原因が、工事作業や投石等による外的要因によるものか、過電流或は漏電等の分電盤側の要因によるものなのかを迅速、かつ、正確に把握することができ、管理者側が保守や補修に必要な人員や交換部品及び問題解決方法を容易に把握することができる等の効果が得られる。
【００２９】
図８は、この発明の実施の第３形態例に係る街路灯管理システムを示しており、この形態例に係るシステムでは、第１及び第２形態例と同様に構成されてなる街路灯Ｇに、光感知センサー３１を付設し、該光感知センサー３１は、街路灯Ｇの点灯時間内における調光時間内における灯３０の寿命による消灯状態や破損による消灯状態（以下、事故消灯状態という。）を検知し、該事故消灯状態情報を、通信手段を介して上記サーバ３へと自動的に送信するように構成されている。
【００３０】
この場合、前記通信手段は、電話回線やＦＭ波或いは無線等の公知の通信手段を利用し、リアルタイムで上記事故消灯状態をサーバ３へと送信し、該サーバ３は、該事故消灯情報をクライアントコンピュータ４，５へと自動的に通信し、該クライアントコンピュータ４，５は、上記事故消灯情報を前記地図データと照合させて自動的に画面上にリアルタイムで表示すると共に、上記サーバ３は、さらに当該街路灯の管理データの該当する項目を自動的に更新して保存する。
【００３１】
また、この形態例に係るシステムでは、上記光感知センサー３１からの事故消灯情報を、当該街路灯Ｇの近くの道路Ｒを巡回中のパトロール車Ｋに搭載されたクライアントコンピュータ（図示せず）でも受信できるように構成されており、より迅速に保守・補修作業を行うことができるように構成されている。勿論、上記巡回中のパトロール車Ｋに搭載されたクライアントコンピュータは、サーバ３を介して事故消灯情報を受信するように構成してもよい。
【００３２】
この形態例に係るシステムは、以上のように構成されているので、第１及び第２形態例に係るシステムが奏する効果に加え、通報者からの通報を待つまでもなく、リアルタイムで事故消灯状態を監視することができ、しかも、サーバ側がこれを受信した場合には、当該街路灯の設置場所を地図上に自動的に表示し、識別できるように構成されているので、迅速に保守・補修作業にかかることが可能となり、また、当該街路灯の管理データも即座に得ることができるので、必要な交換部品のみを持って出動することができる、という効果が得られる。
【００３３】
【発明の効果】
この発明に係る街路灯管理システムは、以上説明したように構成されているので、目的の消灯した街路灯に関する街路灯管理データのいずれか１以上の条件を入力するだけで、簡単に、かつ迅速に検索してコンピュータ画面上にその位置を地図データとして表示することができ、しかも、この街路灯管理データは、当該街路灯データ及び分電盤データ並びに工事データで形成されているため、街路灯の消灯原因が、工事作業に基づくものか、投石等による外的要因によるものか、或は過電流或は漏電等の分電盤側の要因によるものなのかを、保守や補修等に必要な情報と共に上記画面上に並べて表示することができるので、保守や補修に必要な部品や工具を容易に確認し用意することができ、以って、この種の街路灯管理を飛躍的に簡略化し省力化することができる等、幾多の優れた効果を奏する。
【図面の簡単な説明】
【図１】この発明の実施の第１形態例に係るオフライン方式の街路灯管理システム概要を示す説明図である。
【図２】この発明の実施の第２形態例に係るオンライン方式の街路灯管理システム概要を示す説明図である。
【図３】新たに設置される街路灯のデータの入力ステップを示すフローチャートである。
【図４】サーバで市全域のデータを一元管理する場合の作業フローチャートである。
【図５】本街路灯管理システムのデータベースの概要を示す説明図である。
【図６】本街路灯管理システムの機能を示す説明図である。
【図７】本街路灯管理システムで表示される一画面例を示す図である。
【図８】この発明の実施の第３形態例に係る街路灯管理システム概要を示す説明図である。
【符号の説明】
Ｇ　街路灯
１，２　データ入力・管理用コンピュータ
３　サーバ
４　管理用クライアントコンピュータ
５　データ入力コンピュータ
１０　街路灯管理情報データベース
１１　線路情報データベース
１３　分電盤情報データベース
１５　地図データ